(57)【要約】【課題】    合成和紙全体へ、毛細管現象により少量の水を保水させ、水の蒸発時の気化熱冷却を行う事を可能とした、建物の内部を冷却する装置。【解決手段】和紙１の中に多数の多孔質のセラミックスの粒３を点在させ、更に和紙1の中に水１４を導入する為の接続配管6を有し二酸化チタンを被膜した毛細で蛇行状形に加工したステンレス芯４を配置し、和紙1の裏面にアルミ箔５を接着し合成和紙１７としている。建築物の屋上１１や、屋根１２、或いは建物の隣地に設置した雨水タンク１０の貯水した水１４を合成和紙１７へ導入する手段に給水管８を接続配管６に接続、その雨水タンク１０に備蓄した水１４は、圧力ポンプ９の圧力により、給水管8より接続配管6を通過し、合成和紙１７の中に設けた二酸化チタンを被膜した毛細で蛇行状形に加工したステンレス芯４に到達し、水１４は、毛細管現象により合成和紙1７の隅々までに浸透する。水１４を保水した合成和紙１７が保水した水１４が後に蒸発する。水１４が水分蒸発時に気化熱冷却１３を起こす作用により、建物の内部を冷却する。【選択図】  図１
2005155157.tif 000002
【特許請求の範囲】
【請求項１】
建物の外壁面や屋上或いは、屋根面等、温度が上昇する部分に、多数の多孔質のセラミックスの粒と、水を導入する為の接続配管を備え毛細で蛇行状形に加工したステンレス芯を設け、片側裏面にアルミ箔を貼り成形した複数の合成和紙を金属製の留め金に固定し設置。該合成和紙に設けた該接続配管と雨水タンクに貯水した水を配水する為の配水管とを接続することで、水が該接続配管に送られ該接続配管を備えた毛細で蛇行状形に加工したステンレス芯に到達すると、水は毛細管現象による効果で、当該合成和紙の全体に浸透する。該合成和紙が該雨水タンクに貯水した水を上述の如くに吸収保水し、保水された水は後に該合成和紙から蒸発する。水が蒸発する際に気化熱により冷却する特性を利用し、建物内部を冷却する装置である。
【請求項２】
前記合成和紙の表面に、二酸化チタンの溶液を塗膜する事により、太陽の直射日光を受け、光触媒を行い窒素酸化物等の有機物を分解、消臭、抗菌作用する効果を持つことを特徴とする請求項１の建物内部を冷却する装置。
【請求項３】
前記合成和紙に水を供給する手段を冷熱源機器の室外機より排出されるドレインの水を利用する事を特徴とする請求項１及び請求項２の建物内部を冷却する装置。
【請求項４】
前記合成和紙は、軽量材料により成形されていることを特徴とする請求項１の建物内部を冷却する装置。
【請求項５】
前記合成和紙に水を供給する手段として、圧力ポンプを使用し、雨水タンクに貯水した雨水を、複数枚の合成和紙に配水することを特徴とする請求項1及び請求項３の建物の内部を冷却する装置。
【発明の詳細な説明】
【技術分野】
【０００１】
本発明は、建物の冷却に関するものであり、更に詳しくは、冷却機等の冷熱機器を必要とせず建物を冷却する、省エネルギー型建物冷却システムに関わるものである。
【背景技術】
【０００２】
従来の建物内部を冷却する技術は、一般的には冷熱源機器を使用し建物の室内を冷却する。また、省エネルギーや地球環境保全の観点から、製氷機を建物内に設け夜間製氷し、日照時間内は、この氷の冷熱効果を利用しオフィスビル等の室内を冷却する技術や、建築物の屋上面や外壁面に、植物を植栽し建物に注ぐ直接直射日光の熱を遮断、建物の内部を冷却し省エネルギー化を図っている。
【０００３】
従来の技術として、建築物の外壁面全体に平板ガラスを張り固定し、このガラスの裏面へ高層建築物の屋上より大量な雨水や、水道水を散水し、外部より受ける熱を断熱する方法や、水分が蒸発する際の気化熱による冷却方法で冷却することで建物の室内冷却を行っている。
【０００４】
また、従来の技術として、建築物の屋根全体に散水するようスプリンクラーを設置し大量の雨水や水道水や地下水等を散水し、上述の如くの打ち水効果として建築物を冷却する事を行っている。
【発明の開示】
【発明が解決しようとする課題】
【０００５】
従来の建物の内部の冷却対策として、健築物の屋上や屋根その他、外壁側面に植物の植栽を行おうとすると、定期的に肥料や、植栽の手入れなどを必要とし面倒でありランニングコストが掛かる。また、屋根全体に、雨水や水道水或いは、地下水を屋根や屋上に設けたスプリンクラーにより水を散水する事により、大量の水を必要とし乾季や真夏の渇水時には、建築物を冷却することが不可能であり省エネルギー対策や、地球環境保全的には不向きであり、大量の水を必要とする難点がある。
【０００６】
本発明は、省エネルギー化に向けた建物内部の冷却対策とした上述の如くの問題点を解決した新規な建物内部を冷却する装置を提供する。
【課題を解決するための手段】
【０００７】
上記課題を解決するために、本発明は下記の建物内部を冷却する装置を提供する。
【０００８】
（１）建物の外壁面や屋上或いは、屋根面等、温度が上昇する部分に、多数の多孔質のセラミックスの粒と、水を導入する為の接続配管を備え毛細で蛇行状形に加工したステンレス芯を設け、片側面にアルミ箔を貼り成形した複数の合成和紙を金属製の留め金に固定し設置。該合成和紙に設けた該接続配管と雨水タンクに貯水した水を配水する為の配水管とを接続することで、水が該接続配管に送られ該接続配管を備えた毛細で蛇行状形に加工したステンレス芯に到達すると、水は毛細管現象による効果で、当該合成和紙全体に浸透する。即ち、該合成和紙が該雨水タンクに貯水した水を上述の如くに吸収保水し、該合成和紙に毛細管現象により保水された水は、蒸発する際に起こす気化熱により冷却する特長を成し、建築物内の自然冷房を行い、建物内部を冷却する装置である。
【０００９】
（２）前記合成和紙の表面に塗膜した二酸化チタンが太陽の光により、光触媒を行い窒素酸化物などの有機物を分解、消臭、抗菌作用する効果を併せ持つ事を特徴とする建物内の冷却装置。（請求項２）
【００１０】
（３）前記合成和紙に水を供給する手段として冷熱源機器の室外機のドレインより排出される少量の水を利用する。（請求項３）
【００１１】
（４）前記合成和紙に対し、毛細で蛇行状形に加工したステンレス芯に二酸化チタンを被膜加工し雨水等の水を浸透させ毛細管現象を起こすことを容易にしている。（請求項４）
【００１２】
（５）前記合成和紙の複数に水を供給する手段として、雨水タンク内に貯水した水を圧力ポンプを用い行う。（請求項５）
【発明の効果】
【００１３】
以上説明したように、本発明においては、複数の合成和紙に浸透した雨水タンクに貯水した雨水が、毛細管現象により無駄なく少量の雨水で、雨水が蒸発する際の気化熱による冷却する特長を利用し、建物内の自然冷房を行う。
【００１４】
また、建物内の自然冷房、即ち自然環境を利用した冷却方法により、冷熱源機器の消費電力を削減し省エネルギー化を図ることを特徴とする。
【作用】
【００１５】
［請求項１の建物内部を冷却する装置］
建物の外壁面や屋上或いは、屋根面等、温度が上昇する部分に、多数の多孔質のセラミックスの粒と、水を導入する為の接続配管を備え毛細で蛇行状形に加工したステンレス芯を設け、片側面にアルミ箔を貼り成形した複数の合成和紙を金属製の保持部材に固定し設置。該合成和紙に設けた該接続配管と雨水タンクに貯水した水を配水する為の配水管とを接続することで、水が該接続配管に送られ該接続配管を備えた毛細で蛇行状形に加工したステンレス芯に到達すると、水は毛細管現象による効果で、該合成和紙全体に浸透する。該合成和紙が該雨水タンクに貯水した水を上述の如くに吸収保水し、保水された水は、蒸発する際に起こす気化熱により冷却される。この特性を利用し、建物内へ自然冷房を行う装置である。
【００１６】
［請求項２の建物内部を冷却する装置］
合成和紙の片側表面を、二酸化チタンの溶液を塗膜する事により、太陽の直射日光を受け、光触媒を行い窒素酸化物等の有機物を分解、消臭、抗菌作用する効果を持つことを特徴とする。
【００１７】
［請求項３の建物内部を冷却する装置］合成和紙内に設けた、二酸化チタンを被膜した毛細で蛇行状形に加工したステンレス芯は、毛細管現象を引き起こし、夏の渇水時でも冷熱源機器の室外機より排出される少量のドレインの水を合成和紙に供給する事を可能とした。
【００１８】
［請求項４の建物の内部を冷却する装置］
毛細で蛇行状に成形したステンレス芯に、二酸化チタンを被膜することにより水の浸透性を高める特性を用い、雨水タンクに貯水した水や冷熱源機器の室外機のドレインの水など少量の水を合成和紙に浸透誘導させる。
【００１９】
［請求項５の建物の内部を冷却する装置］
前記合成和紙に水を供給する手段として、圧力ポンプを使用し、雨水タンクに貯水した雨水を、複数枚の合成和紙に配水することを特徴とする建物の内部を冷却する装置。
【発明を実施するための最良の形態】
【００２０】
次に、本発明の実施の形態を添付図面に従って説明する。
符号１に示すものは和紙である。まず和紙1の表面に二酸化チタンの溶液２を塗膜する。和紙１の中に多数の多孔質のセラミックスの粒３を点在させ、更に和紙1の中に水１４を導入する為の接続配管6を有し二酸化チタンを被膜した毛細で蛇行状形に加工したステンレス芯４を配置し、和紙1の裏面にアルミ箔５を接着し合成和紙１７としている。  
【００２１】
建築物の屋上１１や、屋根１２、或いは建物の隣地に設置した雨水タンク１０の貯水した水１４を合成和紙１７へ導入する手段に給水管８を接続配管６に接続、その雨水タンク１０に備蓄した水１４は、圧力ポンプ９の圧力により、給水管8より接続配管6を通過し、合成和紙１７の中に設けた二酸化チタンを被膜した毛細で蛇行状形に加工したステンレス芯４に到達し、水１４は、毛細管現象により合成和紙1７の隅々までに浸透する。
【００２２】
水１４で合成和紙１７は、保水し更には、合成和紙17内の多数の多孔質のセラミックスの粒３も保水する。水１４を保水した合成和紙１７より水１４が後に水分蒸発時の気化熱冷却１３の作用により、建物の内部を冷却する。
【００２３】
合成和紙1７の裏面にアルミ箔５を貼ることにより、夏の直射日光の熱を遮断し、水１４が水分蒸発時の気化熱冷却１３の作用を助長する事と、更には、建物への断熱性を高め、建物の内部の冷却効果を高める特長を併せ持つ。次いで、合成和紙１７を建物に固定する手段として、建物に金属製の留め金７を取り付けアンカーボルト１６で固定し、合成和紙１７を被い螺子１５により固定する。
【図面の簡単な説明】
【００２４】
【図１】本発明による建物の内部を冷却する装置を示す立面図である。
【図２】本発明による建物の内部を冷却する装置の別の一例を示す断面図である。
【符号の説明】
【００２５】
１  和紙
２  二酸化チタンの溶液
３  多孔質のセラミックスの粒
４  二酸化チタンを被膜した毛細で蛇行状形に加工したステンレス芯
５  アルミ箔
６  接続配管
７  金属製留め金
８  給水管
９  圧力ポンプ
１０雨水タンク
１１建物の屋上
１２建物の屋根
１３水分蒸発時の気化熱冷却
１４水
１５螺子
１６アンカーボルト
１７合成和紙
【図１】
2005155157.tif 000003
【図２】
2005155157.tif 000004